(57)【特許請求の範囲】
【請求項１】
車両に搭載されたカメラから前記車両の周辺の映像を映像信号により入力する映像入力手段と、
マスクに関する情報であるマスク情報が記憶されたマスク情報記憶手段と、
前記マスク情報記憶手段に記憶された前記マスク情報に基づき、前記映像入力手段により入力された前記映像に対してマスク処理を実行するマスク処理実行手段と、
前記マスク処理実行手段によりマスク処理された映像を表示装置へ出力する出力手段と、
を備えた映像処理装置であって、
前記出力手段により前記表示装置へ出力される前記映像の形状は略矩形であり、
前記マスク情報記憶手段に記憶された前記マスク情報によって表現されるマスクは、上側マスクと下側マスクとからなり、
前記上側マスクは、前記映像が前記表示装置に表示された状態における前記映像の上辺に沿って配置されるマスクであって下方向に凹形状になったマスクであり、
前記下側マスクは、前記映像が前記表示装置に表示された状態における前記映像の下辺に沿って配置されるマスクであって上方向に凹形状になったマスクであり、
前記上側マスク、又は、前記下側マスクの少なくともいずれか一方のマスクの凹形状は、当該マスクを上方向に開口しているように回転させて見た場合に略Ｖ字形状となっていること、
を特徴とする映像処理装置。
【請求項２】
車両に搭載されたカメラから前記車両の周辺の映像を映像信号により入力する映像入力手段と、
マスクに関する情報であるマスク情報が記憶されたマスク情報記憶手段と、
前記マスク情報記憶手段に記憶された前記マスク情報に基づき、前記映像入力手段により入力された前記映像に対してマスク処理を実行するマスク処理実行手段と、
前記マスク処理実行手段によりマスク処理された映像を表示装置へ出力する出力手段と、
を備えた映像処理装置であって、
前記出力手段により前記表示装置へ出力される前記映像の形状は略矩形であり、
前記マスク情報記憶手段に記憶された前記マスク情報によって表現されるマスクは、上側マスクと下側マスクとからなり、
前記上側マスクは、前記映像が前記表示装置に表示された状態における前記映像の上辺に沿って配置されるマスクであって下方向に凹形状になったマスクであり、
前記上側マスクの凹形状は、前記映像入力手段が入力する映像の歪み曲線に沿った形状であり、
前記下側マスクは、前記映像が前記表示装置に表示された状態における前記映像の下辺に沿って配置されるマスクであって上方向に凹形状になったマスクであり、
前記下側マスクの凹形状は、略Ｖ字形状であること、
を特徴とする映像処理装置。
【請求項３】
車両に搭載されたカメラから前記車両の周辺の映像を映像信号により入力する映像入力手段と、
マスクに関する情報であるマスク情報が記憶されたマスク情報記憶手段と、
前記マスク情報記憶手段に記憶された前記マスク情報に基づき、前記映像入力手段により入力された前記映像に対してマスク処理を実行するマスク処理実行手段と、
前記マスク処理実行手段によりマスク処理された映像を表示装置へ出力する出力手段と、
を備えた映像処理装置であって、
前記出力手段により前記表示装置へ出力される前記映像の形状は略矩形であり、
前記マスク情報記憶手段に記憶された前記マスク情報によって表現されるマスクは、上側マスクと下側マスクとからなり、
前記上側マスクは、前記映像が前記表示装置に表示された状態における前記映像の上辺に沿って配置されるマスクであって下方向に凹形状になったマスクであり、
前記下側マスクは、前記映像が前記表示装置に表示された状態における前記映像の下辺に沿って配置されるマスクであって上方向に凹形状になったマスクであり、
前記マスク処理実行手段が行うマスク処理は、前記映像におけるマスク対象部分の彩度変更、前記映像におけるマスク対象部分の色相変更、又は、前記映像におけるマスク対象部分のモザイク化、の少なくともいずれか一つであること、
を特徴とする映像処理装置。
【請求項４】
車両に搭載されたカメラから前記車両の周辺の映像を映像信号により入力する映像入力手段と、
マスクに関する情報であるマスク情報が記憶されたマスク情報記憶手段と、
前記マスク情報記憶手段に記憶された前記マスク情報に基づき、前記映像入力手段により入力された前記映像に対してマスク処理を実行するマスク処理実行手段と、
前記マスク処理実行手段によりマスク処理された映像を表示装置へ出力する出力手段と、
ユーザからの操作を受け付ける操作受付手段と、
を備えた映像処理装置であって、
前記出力手段により前記表示装置へ出力される前記映像の形状は略矩形であり、
前記マスク情報記憶手段に記憶された前記マスク情報によって表現されるマスクは、上側マスクと下側マスクとからなり、
前記上側マスクは、前記映像が前記表示装置に表示された状態における前記映像の上辺に沿って配置されるマスクであって下方向に凹形状になったマスクであり、
前記下側マスクは、前記映像が前記表示装置に表示された状態における前記映像の下辺に沿って配置されるマスクであって上方向に凹形状になったマスクであり、
前記マスク情報記憶手段は、複数のマスクについての前記マスク情報を記憶しており、
前記マスク処理実行手段は、前記操作受付手段が受け付けた操作に基づいて特定される前記マスク情報記憶手段が記憶するいずれか一つの前記マスク情報に基づき、前記マスク処理を実行すること、
を特徴とする映像処理装置。
【請求項５】
車両に搭載されたカメラから前記車両の周辺の映像を映像信号により入力する映像入力手段と、
マスクに関する情報であるマスク情報が記憶されたマスク情報記憶手段と、
前記マスク情報記憶手段に記憶された前記マスク情報に基づき、前記映像入力手段により入力された前記映像に対してマスク処理を実行するマスク処理実行手段と、
前記マスク処理実行手段によりマスク処理された映像を表示装置へ出力する出力手段と、
ユーザからの操作を受け付ける操作受付手段と、
を備えた映像処理装置であって、
前記出力手段により前記表示装置へ出力される前記映像の形状は略矩形であり、
前記マスク情報記憶手段に記憶された前記マスク情報によって表現されるマスクは、上側マスクと下側マスクとからなり、
前記上側マスクは、前記映像が前記表示装置に表示された状態における前記映像の上辺に沿って配置されるマスクであって下方向に凹形状になったマスクであり、
前記下側マスクは、前記映像が前記表示装置に表示された状態における前記映像の下辺に沿って配置されるマスクであって上方向に凹形状になったマスクであり、
前記マスク処理実行手段は、前記操作受付手段が受け付けた操作に基づき、前記上側マスク又は下側マスクの少なくともいずれか一方についての前記マスク処理を実行しないこと、
を特徴とする映像処理装置。
【請求項６】
車両に搭載されたカメラから前記車両の周辺の映像を映像信号により入力する映像入力手段と、
マスクに関する情報であるマスク情報が記憶されたマスク情報記憶手段と、
前記マスク情報記憶手段に記憶された前記マスク情報に基づき、前記映像入力手段により入力された前記映像に対してマスク処理を実行するマスク処理実行手段と、
前記マスク処理実行手段によりマスク処理された映像を表示装置へ出力する出力手段と、
ユーザへ報知するための報知情報を入力する報知情報入力手段と、
を備えた映像処理装置であって、
前記出力手段により前記表示装置へ出力される前記映像の形状は略矩形であり、
前記マスク情報記憶手段に記憶された前記マスク情報によって表現されるマスクは、上側マスクと下側マスクとからなり、
前記上側マスクは、前記映像が前記表示装置に表示された状態における前記映像の上辺に沿って配置されるマスクであって下方向に凹形状になったマスクであり、
前記下側マスクは、前記映像が前記表示装置に表示された状態における前記映像の下辺に沿って配置されるマスクであって上方向に凹形状になったマスクであり、
前記マスク処理実行手段は、前記マスク処理を行った前記映像におけるマスク部分に、前記報知情報入力手段により入力された前記報知情報に基づく文字又は図形の少なくともいずれか一方を重畳させ、
前記出力手段は、前記文字又は図形の少なくともいずれか一方が重畳された前記映像を前記表示装置へ出力すること、
を特徴とする映像処理装置。
【請求項７】
車両に搭載されたカメラから前記車両の周辺の映像を映像信号により入力する映像入力手段と、
マスクに関する情報であるマスク情報が記憶されたマスク情報記憶手段と、
前記マスク情報記憶手段に記憶された前記マスク情報に基づき、前記映像入力手段により入力された前記映像に対してマスク処理を実行するマスク処理実行手段と、
前記マスク処理実行手段によりマスク処理された映像を表示装置へ出力する出力手段と、
障害物に関する情報である障害物情報を障害物検知装置から入力する障害物情報入力手段と、
を備えた映像処理装置であって、
前記出力手段により前記表示装置へ出力される前記映像の形状は略矩形であり、
前記マスク情報記憶手段に記憶された前記マスク情報によって表現されるマスクは、上側マスクと下側マスクとからなり、
前記上側マスクは、前記映像が前記表示装置に表示された状態における前記映像の上辺に沿って配置されるマスクであって下方向に凹形状になったマスクであり、
前記下側マスクは、前記映像が前記表示装置に表示された状態における前記映像の下辺に沿って配置されるマスクであって上方向に凹形状になったマスクであり、
前記マスク処理実行手段は、前記障害物情報入力手段を介して前記障害物情報を入力すると、前記マスク処理を行った前記映像におけるマスク部分の色を所定の色に変更し、
前記出力手段は、マスク部分が前記所定の色に変更された前記映像を前記表示装置へ出力すること、
を特徴とする映像処理装置。
【請求項８】
車両に搭載されたカメラから前記車両の周辺の映像を映像信号により入力する映像入力手段と、
マスクに関する情報であるマスク情報が記憶されたマスク情報記憶手段と、
前記マスク情報記憶手段に記憶された前記マスク情報に基づき、前記映像入力手段により入力された前記映像に対してマスク処理を実行するマスク処理実行手段と、
前記マスク処理実行手段によりマスク処理された映像を表示装置へ出力する出力手段と、
障害物に関する情報である障害物情報を障害物検知装置から入力する障害物情報入力手段と、
を備えた映像処理装置であって、
前記出力手段により前記表示装置へ出力される前記映像の形状は略矩形であり、
前記マスク情報記憶手段に記憶された前記マスク情報によって表現されるマスクは、上側マスクと下側マスクとからなり、
前記上側マスクは、前記映像が前記表示装置に表示された状態における前記映像の上辺に沿って配置されるマスクであって下方向に凹形状になったマスクであり、
前記下側マスクは、前記映像が前記表示装置に表示された状態における前記映像の下辺に沿って配置されるマスクであって上方向に凹形状になったマスクであり、
前記マスク処理実行手段は、前記障害物情報入力手段を介して前記障害物情報を入力すると、前記映像におけるマスク部分に前記障害物情報に基づく文字又は図形の少なくともいずれか一方を重畳させ、
前記出力手段は、前記文字又は図形の少なくともいずれか一方が重畳された前記映像を前記表示装置へ出力すること、
を特徴とする映像処理装置。
【請求項９】
車両に搭載されたカメラから前記車両の周辺の映像を映像信号により入力する映像入力手段と、
マスクに関する情報であるマスク情報が記憶されたマスク情報記憶手段と、
前記マスク情報記憶手段に記憶された前記マスク情報に基づき、前記映像入力手段により入力された前記映像に対してマスク処理を実行するマスク処理実行手段と、
前記マスク処理実行手段によりマスク処理された映像を表示装置へ出力する出力手段と、
前記映像入力手段により入力された前記映像から人物を検知する人物検知手段と、
を備えた映像処理装置であって、
前記出力手段により前記表示装置へ出力される前記映像の形状は略矩形であり、
前記マスク情報記憶手段に記憶された前記マスク情報によって表現されるマスクは、上側マスクと下側マスクとからなり、
前記上側マスクは、前記映像が前記表示装置に表示された状態における前記映像の上辺に沿って配置されるマスクであって下方向に凹形状になったマスクであり、
前記下側マスクは、前記映像が前記表示装置に表示された状態における前記映像の下辺に沿って配置されるマスクであって上方向に凹形状になったマスクであり、
前記マスク処理実行手段は、前記人物検知手段により人物が検知されると、前記マスク処理を行った前記映像におけるマスク部分の色を所定の色に変更し、
前記出力手段は、マスク部分が前記所定の色に変更された前記映像を前記表示装置へ出力すること、
を特徴とする映像処理装置。
【請求項１０】
車両に搭載されたカメラから前記車両の周辺の映像を無線通信により映像信号として入力する映像入力手段と、
マスクに関する情報であるマスク情報が記憶されたマスク情報記憶手段と、
前記マスク情報記憶手段に記憶された前記マスク情報に基づき、前記映像入力手段により入力された前記映像に対してマスク処理を実行するマスク処理実行手段と、
前記マスク処理実行手段によりマスク処理された映像を表示装置へ出力する出力手段と、
を備えた映像処理装置であって、
前記出力手段により前記表示装置へ出力される前記映像の形状は略矩形であり、
前記マスク情報記憶手段に記憶された前記マスク情報によって表現されるマスクは、上側マスクと下側マスクとからなり、
前記上側マスクは、前記映像が前記表示装置に表示された状態における前記映像の上辺に沿って配置されるマスクであって下方向に凹形状になったマスクであり、
前記下側マスクは、前記映像が前記表示装置に表示された状態における前記映像の下辺に沿って配置されるマスクであって上方向に凹形状になったマスクであること、
を特徴とする映像処理装置。
【請求項１１】
請求項３ないし請求項１０の何れか１項に記載の映像処理装置において、
前記上側マスク、又は、前記下側マスクの少なくともいずれか一方のマスクの凹形状は、前記映像入力手段が入力する映像の歪み曲線に沿った形状であること、
を特徴とする映像処理装置。
【請求項１２】
請求項４に記載の映像処理装置において、
前記マスク情報記憶手段は、前記特徴を有するサイズの異なる複数のマスクについての前記マスク情報を記憶していること、
を特徴とする映像処理装置。
【請求項１３】
請求項４，５，１２のいずれか一項に記載の映像処理装置において、
前記操作受付手段は、前記出力手段が前記映像を出力する前記表示装置の表示面に設けられたタッチパネルであること、
を特徴とする映像処理装置。
【請求項１４】
請求項４，５，１２のいずれか一項に記載の映像処理装置において、
前記操作受付手段は、前記車両のステアリング部分に設けられたステアリングスイッチであること、
を特徴とする映像処理装置。
【請求項１５】
請求項４，５，１２〜１４のいずれか一項に記載の映像処理装置において、
前記マスク処理実行手段は、前記マスク処理を行った前記映像におけるマスク部分に、ユーザの操作をガイドするための操作アイコンを重畳させ、
前記出力手段は、前記操作アイコンが重畳された前記映像を前記表示装置へ出力すること、
を特徴とする映像処理装置。
【請求項１６】
請求項１３を引用する請求項１５に記載の映像処理装置において、
前記マスク処理実行手段は、前記タッチパネルがタッチされると前記操作アイコンを重畳させ、重畳させた後、所定時間経過すると前記操作アイコンを消去すること、
を特徴とする映像処理装置。
【請求項１７】
請求項７に記載の映像処理装置において、
前記マスク処理実行手段は、前記障害物情報として、前記車両から前記障害物までの距離を入力すると、その距離に応じ、前記マスク処理を行った前記映像におけるマスク部分の色を変更すること、
を特徴とする映像処理装置。
【請求項１８】
請求項９に記載の映像処理装置において、
前記人物検知手段は、映像中における人物の位置も検知することができ、
前記マスク処理実行手段は、前記人物検知手段により検知された人物が、前記マスク処理を行うことにより隠れることになるか否かを判定し、隠れることになる場合は前記マスク処理を行わないこと、
を特徴とする映像処理装置。
【請求項１９】
請求項１ないし請求項１８のいずれか１項に記載の映像処理装置において、
前記映像入力手段が前記映像を入力する前記カメラは、広画角レンズを備えたカメラであること、
を特徴とする映像処理装置。
【請求項２０】
請求項１９に記載の映像処理装置において、
前記映像入力手段が前記映像を入力する前記カメラのレンズは、水平画角は１８０°以上であること、
を特徴とする映像処理装置。
【請求項２１】
請求項１９又は請求項２０に記載の映像処理装置において、
前記映像入力手段が前記カメラから取得した広画角映像の一部領域の切り出しズーム映像である狭画角映像を生成する狭画角映像生成手段と、
前記映像入力手段が前記カメラから取得した広画角映像と、前記狭画角映像生成手段が生成した狭画角映像とを切り替えて前記出力手段に出力させる映像切替手段と、
をさらに備え、
前記マスク処理実行手段は、前記映像切替手段が前記広画角映像に切り替えている場合のみ前記マスク処理を行い、また、前記マスク処理を行う前記映像におけるマスク部分と、前記広画角映像における前記狭画角映像に対応する領域とが重複しないよう前記マスク処理を実行すること、
を特徴とする映像処理装置。
【請求項２２】
車両の周辺を撮影して略矩形の映像を出力可能なカメラであって、
前記カメラのレンズ部分には、上側マスク部材と下側マスク部材とが設けられ、
前記上側マスク部材は、前記映像が表示装置に表示された状態における前記映像の上部をマスクするマスクであって下方向に凹形状になったマスクを実現するマスク部材であり、
前記下側マスク部材は、前記映像が表示装置に表示された状態における前記映像の下部をマスクするマスクであって上方向に凹形状になったマスクを実現するマスク部材であること、
を特徴とするカメラ。
【発明の詳細な説明】
【技術分野】
【０００１】
本発明は、車両に搭載されたカメラにより撮影された映像を処理する映像処理装置、及び、車両に搭載されるカメラに関する。
【背景技術】
【０００２】
近年、車両に搭載されたカメラにより撮影された映像を運転席付近に設置されたモニタに表示させることにより、運転者の死角位置に存在する障害物等を運転者に把握させる技術が実現されている。しかしながら、カメラの特性やカメラの設置位置の関係から、運転者にとって見やすい映像を表示させることが難しく、運転者が違和感を覚えることも多かった。
【０００３】
そこで、この問題を解決する一手法として、例えば特許文献１に記載された車両周辺視認装置が提案されている。この車両周辺視認装置は、カメラで撮像された映像に対し、画面の上部に位置する上側マスクと、画面の下部に位置する下側マスクとを合成表示することにより、運転者が映像を視認しやすくすることを実現したものである。ここで言う上側マスクというのは、画面の上辺に沿って下側に凸形状となった上辺マスク領域と、画面の中央部から上方に至る中央マスク領域とからなるマスクである。また、下側マスクというのは、画面の下辺に沿って、上側に緩やかな円弧形状に形成されたマスクである。
【０００４】
この結果、特許文献１に記載された車両周辺視認装置によれば、左右方向における中央領域ほど狭く両端部領域ほど広い映像を表示させることができる。つまり、パノラマ感のある映像を表示させることができる。
【特許文献１】特開２００６−２６２４４７号公報
【発明の開示】
【発明が解決しようとする課題】
【０００５】
その一方で、特許文献１に記載された車両周辺視認装置により表示される映像は、左右方向における中央領域の情報が少なくなってしまうという短所を有する。したがって、左右方向における中央領域の情報が運転者にとって特に重要となる映像（例えば、後退時に用いるための後方映像）に対しては、特許文献１に記載された発明を適用することは難しい。
【０００６】
本願発明は、このような問題にかんがみなされたものであり、左右方向における中央領域の情報が相対的に多い映像であって、運転者が違和感を覚えにくい映像を出力することができる映像処理装置等を提供することを目的とする。
【課題を解決するための手段】
【０００７】
上記課題を解決するためになされた本発明の映像処理装置は、車両に搭載されたカメラから車両の周辺の映像を映像信号により入力する映像入力手段と、マスクに関する情報であるマスク情報が記憶されたマスク情報記憶手段と、マスク情報記憶手段に記憶されたマスク情報に基づき、映像入力手段により入力された映像に対してマスク処理を実行するマスク処理実行手段と、マスク処理実行手段によりマスク処理された映像を表示装置へ出力する出力手段と、を備える。そして、出力手段により表示装置へ出力される映像の形状は略矩形であり、マスク情報記憶手段に記憶されたマスク情報によって表現されるマスクは、上側マスクと下側マスクとからなり、これらのマスクのうち、上側マスクは、映像が表示装置に表示された状態における映像の上辺に沿って配置されるマスクであって下方向に凹形状になったマスクであり、下側マスクは、映像が表示装置に表示された状態における映像の下辺に沿って配置されるマスクであって上方向に凹形状になったマスクである。なお、本発明でいうマスクとは、映像におけるマスクのかかる部分の見え方がマスクのかからない部分と比較して視認しづらくなる効果を奏するものを意味する。
【０００８】
したがって、本発明の映像処理装置によれば、歪みの発生しやすい周辺部の映像をマスクすることにより運転者の違和感を軽減しながら、映像の左右方向における中央領域の情報の多い映像を出力することができる。つまり、本発明の映像処理装置は、左右方向における中央領域の情報が運転者にとって特に重要となる映像（例えば、後退時に用いるための後方映像）を処理させる目的に適している。
【０００９】
ところで、上側マスク、又は、下側マスクの少なくともいずれか一方のマスクの凹形状は、映像入力手段が入力する映像の歪み曲線に沿った形状であるとよい（請求項１１）。なお、「映像入力手段が入力する映像の歪み曲線」というのは、カメラ映像の歪み具合を示す曲線であって、カメラが撮影する被写体を格子とした場合のカメラ映像中の格子に沿った曲線である。
【００１０】
ここでこの曲線の具体例について、図１７の説明図を用いて説明する。画角が１８０度程度の広角レンズを搭載したカメラにより、図１７（ａ）に示す格子を撮影すると、カメラから出力される映像は、図１７（ｂ）に示すように周辺部が歪んだものになる。このうち、左右方向の線（例えば、線Ａ）が上述した歪み曲線である。したがって、広角レンズを搭載したカメラによって、景色を撮影すると、地平線も、映像中では歪み曲線に沿って歪むことになる。このため、マスクの凹形状が歪み曲線に沿った形状を有していれば、その凹形状の部分を地平線に相当する基準線としてユーザが捉えることができるため、ユーザは歪んだ映像中における物体の位置関係を認識しやすくなる。
【００１１】
また、上側マスク、又は、下側マスクの少なくともいずれか一方のマスクの凹形状は、当該マスクを上方向に開口しているように回転させて見た場合に略Ｖ字形状となっていてもよい（請求項１）。
【００１２】
このようなマスクであれば、映像が放射状に広がっている様子を演出できるため、ユーザは特に広がり感を得やすい。
また、上側マスクの凹形状は、映像入力手段が入力する映像の歪み曲線に沿った形状であり、下側マスクの凹形状は、略Ｖ字形状であってもよい（請求項２）。
【００１３】
このようなマスクであれば、ユーザは、映像を自然に見ることができながら、広がり感も得ることができる。
ところで、マスク処理実行手段が行うマスク処理としては、マスク対象部分の彩度変更、マスク対象部分の色相変更、又は、マスク対象部分のモザイク化、の少なくともいずれか一つであるとよい（請求項３）。
【００１４】
このようなマスク処理を行うようになっていれば、ユーザは、映像部分とマスク部分とを容易に区別することができる。
また、マスク処理実行手段が行うマスク処理において用いるマスク情報を変更できるようになっているとよい。つまり、ユーザからの操作を受け付ける操作受付手段を備え、マスク情報記憶手段が、複数のマスクについてのマスク情報を記憶するように映像処理装置を構成し、マスク処理実行手段は、操作受付手段が受け付けた操作に基づいて特定されるマスク情報記憶手段が記憶するいずれか一つのマスク情報に基づき、マスク処理を実行するようになっているとよい（請求項４）。
【００１５】
このようになっていれば、ユーザは、好みのマスクを選択することができる。
なお、特に、マスク情報記憶手段は、上述した特徴を有するサイズの異なる複数のマスクについてのマスク情報を記憶しているとよい（請求項１２）。
【００１６】
このようになっていれば、ユーザは、同一の特徴を有するサイズの異なる複数のマスクを段階的に変更することが可能になる。
また、マスク処理実行手段は、操作受付手段が受け付けた操作に基づき、上側マスク又は下側マスクの少なくともいずれか一方についてのマスク処理を実行しないようになっているとよい（請求項５）。
【００１７】
このようになっていれば、ユーザは、状況や好みに応じて上側マスクや下側マスクを映像内から消去することができる。
ところで、操作受付手段は、出力手段が映像を出力する表示装置の表示面に設けられたタッチパネルであると特によい（請求項１３）。
【００１８】
このようになっていれば、ユーザは表示装置を見ながら直感的にマスクを選択することができる。
また、ユーザが操作受付手段を介してマスクを選択できるようにする場合、操作受付手段は、車両のステアリング部分に設けられたステアリングスイッチであると特によい（請求項１４）。
【００１９】
このようになっていれば、ユーザは、運転中にステアリングから手を離すことなく、マスクを選択することができる。
上述したようにマスクをユーザが選択できるようになっている場合は、マスク処理実行手段は、マスク処理を行った映像におけるマスク部分に、ユーザの操作をガイドするための操作アイコンを重畳させ、出力手段は、操作アイコンが重畳された映像を表示装置へ出力するようになっているとよい（請求項１５）。
【００２０】
このようになっていれば、表示装置に表示された映像における撮影映像の部分が操作アイコンによって妨げられることがなく、ユーザは操作アイコンを見ながら操作することができる。
【００２１】
しかし、撮影映像の部分に操作アイコンが重畳されず、マスク部分に操作アイコンが重畳されているからと言って、操作が行われないにもかかわらず操作アイコンが表示装置に表示され続けると、ユーザに煩わしさを感じさせるおそれがある。
【００２２】
そこで、マスク処理実行手段は、タッチパネルがタッチされると操作アイコンを重畳させ、重畳させた後、所定時間経過すると操作アイコンを消去するようになっているとよい（請求項１６）。なお、ここで言う「所定時間」としては、ユーザに操作意図がないと判断できる程度の時間が適しており、例えば、１０秒という時間が考えられる。なお、この所定時間は、ユーザが操作受付手段を介して調整できるようになっていてもよい。
【００２３】
このようになっていれば、操作を行うときのみ操作アイコンを表示装置の表示面に表示させることができ、その後、操作が終了し、又は、操作が全く行われなかったことにより、操作がなされない状態が所定時間継続した場合には操作アイコンが消去されるため、ユーザの感じる煩わしさを軽減することができる。
【００２４】
ところで、映像処理装置は、ユーザへ報知するための報知情報を入力する報知情報入力手段をさらに備えているとよい。そして、マスク処理実行手段は、マスク処理を行った映像におけるマスク部分に、報知情報入力手段により入力された報知情報に基づく文字又は図形の少なくともいずれか一方を重畳させ、出力手段は、文字又は図形の少なくともいずれか一方が重畳された映像を表示装置へ出力するようになっているとよい（請求項６）。なお、報知情報としては、例えば、時刻情報や、天気情報や、車両の状態情報等が想定される。
【００２５】
このようになっていれば、表示装置に表示された映像における撮影映像の部分が報知情報によって妨げられることなく、ユーザは報知情報を認識することができる。
また、映像処理装置は、カメラの撮影範囲に存在する障害物に関する情報である障害物情報を入力する障害物情報入力手段をさらに備えているとよい。そして、マスク処理実行手段は、障害物情報入力手段を介して障害物情報を入力すると、マスク処理を行った映像におけるマスク部分の色を所定の色に変更し、出力手段は、マスク部分が所定の色に変更された映像を表示装置へ出力するようになっているとよい（請求項７）。
【００２６】
このようになっていれば、表示装置に表示されている映像中に障害物が存在することをユーザは直ちに認識することができる。また、その障害物をユーザが見落とすことも防止することができる。
【００２７】
また、マスク処理実行手段が、障害物情報として、車両から障害物までの距離を入力した場合は、その入力した距離に応じ、マスク処理を行った映像におけるマスク部分の色を変更するようになっているとよい（請求項１７）。例えば、障害物までの距離が５ｍ以上ある場合にはマスク部分の色を黒とし、障害物までの距離が１ｍ以上５ｍ未満である場合にはマスク部分の色を茶とし、障害物までの距離が１ｍ未満である場合にはマスク部分の色を赤とすることが考えられる。
【００２８】
このようになっていれば、ユーザは表示装置を一瞥するだけで、障害物までの距離の概要をつかむことができ、障害物までの距離に応じた適切な運転操作を行いやすい。
また、障害物情報を入力する障害物情報入力手段を、映像処理装置が備えている場合は、マスク処理実行手段は、障害物情報入力手段を介して障害物情報を入力すると、映像におけるマスク部分に障害物情報に基づく文字又は図形の少なくともいずれか一方を重畳させ、出力手段は、文字又は図形の少なくともいずれか一方が重畳された映像を表示装置へ出力するようになっているとさらによい（請求項８）。ここで言う「障害物情報に基づく文字又は図形」というのは、例えば、障害物の種別や、障害物までの距離等を示す文字又は図形のことである。
【００２９】
このようになっていれば、ユーザは、障害物についてより詳細な情報（映像からだけではわかりにくい情報）を、表示装置に表示された文字や図形から得ることができるため、適切な運転操作等をとりやすい。
【００３０】
ところで、映像入力手段により入力された映像に人物が写っている場合は、特にユーザは注意する必要がある。そこで、映像入力手段により入力された映像から人物を検知する人物検知手段をさらに備えるように映像処理装置を構成し、マスク処理実行手段は、人物検知手段により人物が検知されると、マスク処理を行った映像におけるマスク部分の色を所定の色に変更し、出力手段は、マスク部分が所定の色に変更された映像を表示装置へ出力するようになっているとよい（請求項９）。
【００３１】
このようになっていれば、ユーザはマスク部分が所定の色になっていることからカメラの撮影範囲に人物がいることを知ることができるため、より容易に人物の存在に気づき、人物に注意することができる。
【００３２】
しかしながら、マスクによって人物が隠れてしまうのでは本末転倒である。そこで、人物検知手段を、映像中における人物の位置も検知することができるように構成し、マスク処理実行手段は、人物検知手段により検知された人物が、マスク処理を行うことにより隠れることになるか否かを判定し、隠れることになる場合はマスク処理を行わないようになっているとよい（請求項１８）。
【００３３】
このようになっていれば、マスクによって人物が隠れてしまうことを防止することができる。
また、映像入力手段は、有線通信によってカメラから映像を入力するようになっていてもよいが、無線通信により映像をカメラから入力するようになっているとよい（請求項１０）。
【００３４】
このようになっていれば、カメラと映像入力手段との間に信号線を設ける必要がなくなるため、映像処理装置の取り付け時の作業量を軽減することができる。
ところで、映像入力手段が前記映像を入力するカメラは、広画角レンズを備えたカメラであると特によい（請求項１９）。なお、広画角レンズとは、画角が１８０度程度以上あるレンズをさすことが一般的である。
【００３５】
広画角レンズを備えたカメラは一般的に出力映像の周辺が大きく歪んでいる特性を有しているため、広画角レンズを備えるカメラと組み合わせることにより、上述した各映像処理装置は特に効果を発揮する。
【００３６】
なお、車両は道路上を走行する乗り物であるため、ユーザは垂直方向よりも水平方向の情報を欲する傾向がある。したがって、広画角レンズの中でも特に水平画角が１８０°以上あるレンズであれば、上述した各映像処理装置の効果は発揮されるともいえる（請求項２０）。
【００３７】
また、広画角レンズを備えたカメラと組み合わせる場合、特に、次のような映像処理装置であるとよい。映像入力手段がカメラから取得した広画角映像の一部領域の切り出しズーム映像である狭画角映像を生成する狭画角映像生成手段を映像処理装置が備えるようにする。また、映像入力手段がカメラから取得した広画角映像と、狭画角映像生成手段が生成した狭画角映像とを切り替えて出力手段に出力させる映像切替手段を備えるように映像処理装置を構成する。また、マスク処理実行手段は、映像切替手段が広画角映像に切り替えている場合のみマスク処理を行い、マスク処理を行う前記映像におけるマスク部分と、広画角映像における狭画角映像に対応する領域とが重複しないようマスク処理を実行する（請求項２１）。
【００３８】
このような映像処理装置であれば、狭画角映像から得られる情報量を増加させるとともに、画角切替時の映像の視認性も向上させることができる。
ところで、映像処理装置側でマスク処理を行うのではなく、カメラ自体にマスク部材が設けられていてもよい。つまり、カメラのレンズ部分に、上側マスク部材と下側マスク部材とを設けるとよい。上側マスク部材は、映像が表示装置に表示された状態における映像の上部をマスクするマスクであって下方向に凹形状になったマスクを実現するマスク部材であり、下側マスク部材は、映像が表示装置に表示された状態における映像の下部をマスクするマスクであって上方向に凹形状になったマスクを実現するマスク部材である（請求項２２）。
【００３９】
このようなカメラによれば、歪みの発生しやすい周辺部の映像がマスクされるため運転者の違和感を軽減しながら、映像の左右方向における中央領域の情報の多い映像を出力することができる。つまり、本発明のカメラは、左右方向における中央領域の情報が運転者にとって特に重要となる映像（例えば、後退時に用いるための後方映像）を処理させる目的に適している。
【発明を実施するための最良の形態】
【００４０】
以下、本発明が適用された実施形態について図面を用いて説明する。なお、本発明の実施の形態は、下記の実施形態に何ら限定されることはなく、本発明の技術的範囲に属する限り種々の形態を採りうる。
【００４１】
［構成の説明］
図１は、実施形態の映像処理装置１１及び映像処理装置１１に接続される各種装置類を説明するためのブロック図である。映像処理装置１１には、カメラ２１、表示装置２２、シフト位置センサ２３、障害物検知装置２４、及び、ＥＣＵ群２５が接続されている。
【００４２】
（１）映像処理装置１１
映像処理装置１１は、映像入力インタフェース１２、マスク情報記憶部１３、前回選択マスク記憶部１４、映像出力インタフェース１５、操作部１６、情報入力インタフェース１７、及び、映像処理部１８を備える。
【００４３】
映像入力インタフェース１２は、カメラ２１から映像信号を入力するためのインタフェースである。
マスク情報記憶部１３は、複数のマスクについてのマスク情報を記憶する記憶部である。マスク情報というのは、マスクを構成するために必要な情報であり、マスクの形状に関する情報やマスクの色に関する情報等からなる。なお、各マスク情報には、一意に特定可能な識別情報（ＩＤ）が付されている。マスク情報の具体例については後述する。
【００４４】
前回選択マスク記憶部１４は、前回、使用されたマスクのマスク情報を特定可能な識別情報（ＩＤ）を記憶する記憶部である。
映像出力インタフェース１５は、表示装置２２へ映像信号を出力するためのインタフェースである。
【００４５】
操作部１６は、表示装置２２の表示面と積層一体化されたタッチパネル、表示装置２２の周囲に設けられたメカニカルなスイッチ、ステアリングに設けられたステアリングスイッチ等からなり、ユーザが映像処理装置１１に対して操作指令を入力可能なデバイスである。
【００４６】
情報入力インタフェース１７は、シフト位置センサ２３、障害物検知装置２４及びＥＣＵ群２５から各種信号を入力するためのインタフェースである。
映像処理部１８は、周知のマイコンから構成され、ＲＯＭやフラッシュメモリ等に記憶されたプログラムに基づいて上述した各部を制御して各種の処理を実行する機能を有する。
【００４７】
（２）カメラ２１
車両の後部に備えられた車載用カメラであり、車両周辺を撮影可能なカメラである。１８０度程度の水平画角を備える広角カメラであることが望ましい。なお、複数のカメラによって構成され、各カメラの映像を合成して利用するようになっていてもよい。カメラ２１が撮影された映像は映像信号として映像処理装置１１へ有線方式にて送信される。なお、周知の無線方式により映像信号を無線送信してもよい。
【００４８】
（３）表示装置２２
表示装置２２は、液晶パネル等からなるカラー画像表示部を有し、映像処理装置１１から有線方式で入力された映像信号に基づいて画像を表示する。なお、カラー画像表示部の表示面には、上述した操作部１６の一部を構成するタッチパネルが積層一体化されている（図示せず）。
【００４９】
（４）シフト位置センサ２３
図示しないトランスミッションに設けられたセンサであり、トランスミッションのシフト位置を検出する機能を有するセンサである。シフト位置センサ２３から得られる信号から、現在のシフト位置がＤ（ドライブ）位置にあるのか、Ｎ（ニュートラル）位置にあるのか、Ｒ（リバース）位置にあるのかといったことを知ることができる。シフト位置センサ２３は、このような信号を有線方式にて映像処理装置１１へ送信可能に構成されている。なお、周知の無線方式により信号を無線送信してもよい。
【００５０】
（５）障害物検知装置２４
障害物検知装置２４は、ソナーやレーダー等を用いて車両周辺に存在する障害物を検知可能な装置である。また、検知された障害物までの距離を算出することもできる機能を有している。なお、障害物検知装置２４は、障害物の検知結果及び検知された障害物までの距離の情報を障害物情報として有線方式にて映像処理装置１１へ送信可能に構成されている。なお、周知の無線方式により障害物情報を無線送信してもよい。
【００５１】
（６）ＥＣＵ群２５
ＥＣＵ群２５は、車両の各部を制御するＥＣＵ群であり、エンジンＥＣＵ、ブレーキＥＣＵ、エアコンＥＣＵ、ナビゲーションＥＣＵ等のＥＣＵから構成される。ＥＣＵ群２５は、時刻情報、速度情報、異常情報等を映像処理装置１１に対して有線方式にて送信する。なお、周知の無線方式により、これらの情報を無線送信してもよい。
【００５２】
［動作の説明］
次に、映像処理装置１１の映像処理部１８が実行する処理を説明することにより、映像処理装置１１の動作について説明する。
【００５３】
（１）後退時処理
まず、映像処理装置１１の映像処理部１８が実行する後退時処理について、図２のフローチャートを用いて説明する。なお、後退時処理は、シフト位置がＲ位置に変更された旨の信号を、映像処理部１８が情報入力インタフェース１７を介してシフト位置センサ２３から受信した際に実行が開始される。
【００５４】
映像処理装置１１の映像処理部１８は、後退時処理の実行を開始すると、まず前回選択マスクを特定する（Ｓ１０５）。これは、前回選択マスク記憶部１４からマスク情報の識別情報（ＩＤ）を読み出すことによって行う。
【００５５】
続いて、識別情報（ＩＤ）に該当するマスク情報をマスク情報記憶部１３から読み出す（Ｓ１１０）。ここで、マスク情報の一例を図６に示すマスク情報ファイル３５０を用いて説明する。
【００５６】
マスク情報ファイル３５０は、マスクのＩＤ、マスクのＲ値、マスクのＧ値、マスクのＢ値、及び、マスクの輝度値からなるヘッダ部分と、マスクをかけるかかけないかを、映像を構成するドット値に対応させたビット集合からなるデータ部分とから構成される。マスクのＩＤは、マスク情報ファイルを特定するための識別情報（ＩＤ）である。マスクのＲ値は、マスクをかけるドットのＲＧＢカラー表現におけるＲ（レッド）の値である。マスクのＧ値は、マスクをかけるドットのＲＧＢカラー表現におけるＧ（グリーン）の値である。マスクのＢ値は、マスクをかけるドットのＲＧＢカラー表現におけるＢ（ブルー）の値である。
【００５７】
データ部分における各ビットの配置は、実際の映像におけるドット位置と対応しており、”−１”がマスクをかける意味のビットを表し、”１”がマスクをかけない意味のビットを表す。つまり、ビット値が”−１”である箇所に対応する映像のドットについては、Ｒ値，Ｇ値，Ｂ値にしたがった色によってマスクされることになる。
【００５８】
なお、本例では、マスクの形式、マスクの大きさ毎にマスク情報が存在する。また、マスク領域のないマスク情報（つまり、ビット値が全て”１”であるマスク情報）もマスク情報記憶部１３に記憶されている。
【００５９】
説明を図２に戻し、映像処理部１８は、続いて、映像入力インタフェース１２を介して映像信号の入力を開始する（Ｓ１１５）。そして、Ｓ１１０で入力したマスク情報に基づいてマスクを構成し、映像入力インタフェース１２を介して入力した映像との合成を開始する（Ｓ１２０）。そして、映像出力インタフェース１５を介して表示装置２２へ、合成した映像の映像信号の出力を開始する（Ｓ１２５）。表示装置２２に表示される映像の具体例については後述する。
【００６０】
続いて、映像処理部１８は、操作部１６を介してユーザからマスクに関する操作指令があったか否かを判定する（Ｓ１３０）。これは、操作部１６に入力された操作指令を判別することにより行う。また、マスクに関する操作指令というのは、例えば、マスクの形式を変更する指令や、マスクの大きさを変更する指令や、マスクの消去を意味する指令等である。
【００６１】
Ｓ１３０において、マスクに関する操作指令があったと判定した場合は（Ｓ１３０：Ｙｅｓ）、Ｓ１３５へ処理を移行し、マスクに関する操作指令はなかったと判定した場合は（Ｓ１３０：Ｎｏ）、マスクに関する操作指令があるまで本ステップにとどまる。
【００６２】
マスクに関する操作指令があったと判定した場合に進むＳ１３５では、操作指令に対応するマスク情報をマスク情報記憶部１３から読み出す。そして、読み出したマスク情報からマスクを構成し、合成に用いていたマスクに代えて新たに構成したマスクを用いて、カメラ２１から取得した映像との合成を開始する（Ｓ１４０）。それとともに、Ｓ１３５でマスク情報記憶部１３から読み出したマスク情報の識別情報（ＩＤ）を前回選択マスク記憶部１４に更新記憶する（Ｓ１４５）。そして、Ｓ１３０へ処理を戻す。
【００６３】
（２）報知情報重畳処理
次に、映像処理装置１１の映像処理部１８が実行する報知情報重畳処理について、図３（ａ）のフローチャートを用いて説明する。なお、報知情報重畳処理は、上述した後退時処理が開始された際に並行して実行が開始される。
【００６４】
映像処理装置１１の映像処理部１８は、報知情報重畳処理の実行を開始すると、情報入力インタフェース１７を介してＥＣＵ群２５から報知すべき情報（報知情報）を受信したか否かを判定する（Ｓ２０５）。報知情報としては、例えば、時刻情報、車両の状態情報等が考えられる。Ｓ２０５において、報知情報を受信したと判定した場合は（Ｓ２０５：Ｙｅｓ）、Ｓ２１０へ処理を移行し、報知情報を受信していないと判定した場合は（Ｓ２０５：Ｎｏ）、報知情報を受信するまで本ステップにとどまる。
【００６５】
報知情報を受信したと判定した場合に進むＳ２１０では、報知情報に基づく文字や図形を、上述した後退時処理によって映像に合成されたマスク上に重畳する。なお、表示装置２２に表示される映像の具体例については後述する。
【００６６】
その後、Ｓ２０５へ処理を戻す。
以上、報知情報重畳処理について説明したが、本処理により、表示装置２２に表示された撮影映像（カメラ２１によって撮影された映像）部分が報知情報によって妨げられることなく、ユーザは報知情報を認識することができる。
【００６７】
（３）操作アイコン重畳処理
次に、映像処理装置１１の映像処理部１８が実行する操作アイコン重畳処理について、図３（ｂ）のフローチャートを用いて説明する。なお、操作アイコン重畳処理は、上述した後退時処理が開始された際に並行して実行が開始される。
【００６８】
映像処理装置１１の映像処理部１８は、操作アイコン重畳処理の実行を開始すると、まず表示装置２２の表示面に設けられたタッチパネル（操作部１６）がタッチされたか否かを判定する（Ｓ２３５）。タッチパネルがタッチされたと判定した場合は（Ｓ２３５：Ｙｅｓ）、Ｓ２４０へ処理を移行し、タッチパネルはタッチされていないと判定した場合は（Ｓ２３５：Ｎｏ）、タッチパネルがタッチされるまで本ステップにとどまる。
【００６９】
タッチパネルがタッチされたと判定した場合に進むＳ２４０では、操作アイコンを、上述した後退時処理によって映像に合成されたマスク上に重畳する。なお、表示装置２２に表示される映像の具体例については後述する。
【００７０】
続いて、タッチパネルがタッチされた後、タッチパネルがタッチされない状態が１０秒以上経過したか否かを判定する（Ｓ２４５）。タッチパネルがタッチされない状態が１０秒以上経過したと判定した場合は（Ｓ２４５：Ｙｅｓ）、Ｓ２５０へ処理を移行し、タッチパネルがタッチされない状態が１０秒以上経過していないと判定した場合は（Ｓ２４５：Ｎｏ）、タッチパネルがタッチされない状態が１０秒以上経過するまで本ステップにとどまる。
【００７１】
タッチパネルがタッチされない状態が１０秒以上経過したと判定した場合に進むＳ２５０では、Ｓ２４０で重畳させた操作アイコンをマスク上から消去する。そして、Ｓ２３５へ処理を戻す。
【００７２】
以上、操作アイコン重畳処理について説明したが、本処理により、表示装置２２に表示された撮影映像（カメラ２１によって撮影された映像）部分が操作アイコンによって妨げられることなく、ユーザは操作アイコンを見ながら操作することができる。
【００７３】
（４）障害物報知処理
次に、映像処理装置１１の映像処理部１８が実行する障害物報知処理について、図３（ｃ）のフローチャートを用いて説明する。なお、障害物報知処理は、上述した後退時処理が開始された際に並行して実行が開始される。
【００７４】
映像処理装置１１の映像処理部１８は、障害物報知処理の実行を開始すると、情報入力インタフェース１７を介して障害物検知装置２４から障害物情報を受信したか否かを判定する（Ｓ２６５）。障害物情報を受信したと判定した場合は（Ｓ２６５：Ｙｅｓ）、Ｓ２７０へ処理を移行し、障害物情報を受信していないと判定した場合は（Ｓ２６５：Ｎｏ）、障害物情報を受信するまで本ステップにとどまる。
【００７５】
障害物情報を受信したと判定した場合に進むＳ２７０では、上述した後退時処理によって映像に合成されたマスクの色を、障害物までの距離に応じた色に変更する。具体的には、例えば、障害物までの距離が５ｍ以上ある場合にはマスク部分の色を黒とし、障害物までの距離が１ｍ以上５ｍ未満である場合にはマスク部分の色を茶とし、障害物までの距離が１ｍ未満である場合にはマスク部分の色を赤とすることが考えられる。
【００７６】
そしてさらに、障害物までの距離を示す数字を、色を変更したマスク上に重畳する（Ｓ２７５）。他にも、障害物検知装置２４から、障害物の個数や、大きさ等の障害物に関する情報を得ることができるのであれば、これらもマスク上に重畳するようになっているとよい。
【００７７】
その後、Ｓ２６５へ処理を戻す。
以上、障害物報知処理について説明したが、障害物が存在するとマスクの色が変更されるため、障害物が存在することをユーザは直ちに認識することができる。しかも、障害物までの距離に応じてマスクの色が変わるため、ユーザはマスクの色から障害物までのおおよその距離を知ることができる。また、障害物までの距離を示す数字がマスク上に表示されるため、ユーザは、その数字を見れば障害物までの距離を正確に把握することができる。
【００７８】
（５）人物報知処理
次に、映像処理装置１１の映像処理部１８が実行する人物報知処理について、図４のフローチャートを用いて説明する。なお、人物報知処理は、上述した後退時処理が開始された際に並行して実行が開始される。
【００７９】
映像処理装置１１の映像処理部１８は、人物報知処理の実行を開始すると、映像入力インタフェース１２を介してカメラ２１から入力した映像中に人物が含まれているか否かの検知を開始する（Ｓ３０５）。この検知は、周知の画像処理技術により行われる。
【００８０】
検知が開始されると、実際に映像中に人物が検知されたか否かを判定する（Ｓ３１０）。人物が検知されたと判定した場合は（Ｓ３１０：Ｙｅｓ）、Ｓ３２０へ処理を移行し、人物は検知されていないと判定した場合は（Ｓ３１０：Ｎｏ）、Ｓ３１５へ処理を移行する。
【００８１】
人物は検知されていないと判定した場合に進むＳ３１５では、後述するＳ３２５でマスクを消していた場合には初期状態のマスクを表示させ、後述するＳ３１５でマスクの色を変更していた場合には初期状態のマスクの色に戻す。そして、Ｓ３１０へ処理を戻す。
【００８２】
一方、人物が検知されたと判定した場合に進むＳ３２０では、検知された人物が、表示装置２２に表示される映像におけるマスクによって隠れるか否かを判定する。人物はマスクによって隠れると判定した場合は（Ｓ３２０：Ｙｅｓ）、Ｓ３２５へ処理を移行し、人物はマスクによって隠れないと判定した場合は（Ｓ３２０：Ｎｏ）、Ｓ３３０へ処理を移行する。
【００８３】
人物はマスクによって隠れると判定した場合に進むＳ３２５では、現在、合成中のマスクを全て消去する。なお、この消去は、部分的にマスクを消去してもよい（例えば、人物の隠れる上側マスクのみ、又は、下側マスクのみを消去してもよい）。そして、Ｓ３１０へ処理を戻す。
【００８４】
一方、人物はマスクによって隠れないと判定した場合に進むＳ３３０では、マスクの色を規定の色に変更する。この色は、ユーザに強く注意を促す色であると良く、例えば、赤色であるとよい。また、マスク自体が点滅したり、マスクの色が１秒ごとに変化したりするようにしてもよい。そして、Ｓ３１０へ処理を戻す。
【００８５】
以上、人物報知処理について説明したが、映像に人物が写っていることを検知するとマスクの色を変えるようになっているため、ユーザはカメラの撮影範囲に人物がいることを容易に知ることができ、より確実に人物に対して注意を向けることができる。また、人物がマスクによって隠れてしまう場合は、マスクを消去するようになっているため、マスクによって人物が隠れてしまうことを防止でき、映像によってユーザに人物を視認させることができる。
【００８６】
（６）表示切替処理
次に、映像処理装置１１の映像処理部１８が実行する表示切替処理について、図５のフローチャートを用いて説明する。なお、表示切替処理は、上述した後退時処理が開始された際に並行して実行が開始される。
【００８７】
映像処理装置１１の映像処理部１８は、表示切替処理の実行を開始すると、表示切替スイッチが押下されたか否かを判定する（Ｓ３５５）。表示切替スイッチというのは、表示装置２２に広画角映像を表示させる表示モードと狭画角映像を表示させる表示モードとを切り替えるスイッチであり、操作部１６を構成するスイッチの一部が割り当てられたものである。このＳ３５５において、表示切替スイッチが押下されたと判定した場合は（Ｓ３５５：Ｙｅｓ）、Ｓ３６０へ処理を移行し、表示切替スイッチは押下されていないと判定した場合は（Ｓ３５５：Ｎｏ）、表示切替スイッチが押下されるまで本ステップにとどまる。
【００８８】
表示切替スイッチが押下されたと判定した場合に進むＳ３６０では、現在、表示装置２２に表示させている映像は広画角映像であるか否かを判定する（Ｓ３６０）。広画角映像を表示させていると判定した場合は（Ｓ３６０：Ｙｅｓ）、Ｓ３６５へ処理を移行し、広画角映像を表示させていないと判定した場合、つまり、狭画角映像を表示させていると判定した場合は（Ｓ３６０：Ｎｏ）、Ｓ３８０へ処理を移行する。
【００８９】
広画角映像を表示させていると判定した場合に進むＳ３６５では、広画角映像から狭画角映像の生成を開始する。具体的には、広画角映像から所定の領域を切り出し、デジタルズームを行って当該領域を拡大する映像処理を開始する。続いて、マスクの合成を停止する（Ｓ３７０）。そして、映像出力インタフェース１５を介して表示装置２２に狭画角映像の出力を開始する（Ｓ３７５）。その後、Ｓ３５５へ処理を戻す。
【００９０】
一方、広画角映像を表示させていないと判定した場合に進むＳ３８０では、前回選択マスク記憶部１４からマスク情報の識別情報（ＩＤ）を読み出して、広画角映像を表示させていた際に使用していたマスク情報を特定し、該当するマスク情報をマスク情報記憶部１３から読み出してマスクの合成を再開する。そして、映像出力インタフェース１５を介して表示装置２２に広画角映像の出力を開始する（Ｓ３８５）。その後、Ｓ３５５へ処理を戻す。
【００９１】
［表示される映像例］
（１）マスクなしの映像例
図７に示す映像例は、車両後方を撮影する事を目的として車両後端の上部に取り付けられたカメラ２１によって得られる映像例であり、マスクなしの映像例である。図７に示すように映像の周辺部が歪んでおり特に四隅の歪み具合が大きいことがわかる。なお、以下の映像例は、図７に示す映像例と同様の構図のものである。
【００９２】
（２）マスクの基本形１
図８に示す映像例は、図７に示した映像例に対してマスク４０１を合成したものである。マスク４０１は、映像例の上辺に沿って配置される上側マスク４０２と、映像例の下辺に沿って配置される下側マスク４０３とからなる。
【００９３】
上側マスク４０２は、映像の下方向に凹形状になっており、映像の左右方向における歪み曲線に沿った弧部４０２ａを有する。
一方、下側マスク４０３は、映像の上方向に凹形状になっており、その凹形状の部分が、第一の辺４０３ａと第二の辺４０３ｂとから構成され、第一の辺４０３ａと第二の辺４０３ｂとのなす角度が、下側マスク４０３側を基準に見たときに鈍角になっている（非マスク部分の映像を鋭角にさせている）。つまり、下側マスク４０３の凹形状の部分は、略Ｖ字形状を有していると言える。
【００９４】
このようなマスクによってカメラ２１から得られる映像をマスクすることにより、歪みの発生しやすい周辺部の映像が見えなくなるため、歪みによりユーザが感じる違和感を軽減することができる。そして、上側マスク４０２が下方向に凹形状になっており、下側マスク４０３が上方向に凹形状になっているため、映像の左右方向における中央領域の情報の多い映像をユーザは視認することができる。また、上側マスク４０２の弧部４０２ａは、映像の左右方向における歪み曲線に沿った形状になっているため、弧部４０２ａを地平線に相当する基準線としてユーザが捉えることができる。つまり、ユーザは歪んだ映像中における物体の位置関係を認識しやすくなる。また、下側マスク４０３の凹形状の部分は、第一の辺４０３ａと第二の辺４０３ｂとから構成されているため、映像が放射状に広がっている様子を演出できるため、ユーザは広がり感を得やすい。
【００９５】
（３）画角表示が追加された例１
図９に示す映像例は、図８に示した映像例の下部に、画角を表す角度表示４１１とその画角の範囲を示す矢印４１２とを重畳させたものである。
【００９６】
このように画角が表示されることにより、ユーザは今表示されている映像の画角がどれくらいであるかを容易に知ることができる。
（４）画角表示が追加された例２
図１０に示す映像例は、図８に示した映像例の下部に、目盛り４２１を重畳させたものである。
【００９７】
このように目盛り４２１が表示されることにより、ユーザは今表示されている映像中に含まれる物体がどの方向に存在する物体であるのかを容易に知ることができる。
（５）画角表示が追加された例３
図１１に示す映像例は、図１０に示した映像例をベースに、目盛り４２５と下部マスク４２６との間を塗りつぶし、その塗りつぶした部分に現在の表示モードを表す文字（Wide View）を表示させた映像例である。
【００９８】
このように現在の表示モードを表す文字を表示させることにより、ユーザは今表示されている映像の表示モードを容易に知ることができる。
（６）画角表示が追加された例４
図１２に示す映像例は、図１１に示した映像例をベースに、目盛り４３１の塗りつぶし部分と、下部マスク４３２との間に、隙間を設けた映像例である。
【００９９】
このように隙間を設けることにより、映像が放射状に広がっている様子を演出できるため、ユーザは広がり感を得やすい。
（７）画角表示が追加された例５
図１３に示す映像例は、図８に示した映像例の下部に、画角の範囲を示す矢印４３５と、現在の表示モードを表す文字４３６とを表示させた映像例である。
【０１００】
このような矢印４３５と文字４３６を表示させることにより、表示モードを表す文字４３６のみを表示させる場合と比較して、ユーザは矢印４３５の長さを基準に表示モード（Wide ViewなのかNarrow Viewなのか等）を把握できるため、現在の表示モードが何であるのかを直感的に把握しやすくなる。
【０１０１】
（８）車両モデルが重畳表示された例
図１４に示す映像例は、図８〜図１３に示した映像例と比較し、下部マスク４４１の中央部が映像の上方向に位置している。そして、下部マスク４４１上に車両後部のモデル４４２が重畳表示されている。
【０１０２】
このように車両後部のモデル４４２が重畳表示されることにより、ユーザは表示装置２２に表示された映像が車両後方の映像であることを直感的に把握することができる。また、ユーザは映像中に含まれる物体の位置関係も把握しやすい。
【０１０３】
（９）マスクの基本形２
図１５に示す映像例は、下部マスク４４６を上部マスク４４７と対称の形状にしたものである。つまり、下部マスク４４６は、映像の上方向に凹形状になっており、弧部４４６ａが映像の左右方向における歪み曲線に沿った形状となっている。
【０１０４】
このようなマスクによってカメラ２１から得られる映像をマスクすることにより、歪みの発生しやすい周辺部の映像が見えなくなるため、歪みによりユーザが感じる違和感を軽減することができる。そして、上側マスク４４７が下方向に凹形状になっており、下側マスク４４６が上方向に凹形状になっているため、映像の左右方向における中央領域の情報の多い映像をユーザは視認することができる。また、上側マスク４４７だけではなく下側マスク４４６の弧部４４６ａも、映像の左右方向における歪み曲線に沿った形状になっているため、弧部４４６ａを地平線に相当する基準線としてユーザが捉えることができる。つまり、ユーザは歪んだ映像中における物体の位置関係を認識しやすくなる。
【０１０５】
なお、ここでは上側マスク４４７と下側マスク４４６とが共に、映像面との境界が歪曲線に沿った形状となったマスクを例示したが、他にも、映像面との境界が逆Ｖ字型になった上側マスクと、映像面との境界が歪曲線に沿った形状となった下側マスクといった組み合わせのマスクも考えられる。
【０１０６】
（１０）スライダを表示させた例
図１６に示す映像例は、図１５に示した映像例をベースに、スライダ４５１を重畳表示させた映像例である。このスライダ４５１は、操作アイコンであり、ユーザは、スライダ４５１の操作子４５１ａを移動させることにより、マスクの大きさを変更することができる。
【０１０７】
具体的には、ユーザが操作子４５１ａを映像例における上方向に移動させると、上側マスク４５２の弧部４５２ａが上側に上がる（つまり上側マスク４５２のマスク領域が小さくなる）とともに、下側マスク４５３の弧部４５３ａが下側に下がる（つまり下側マスク４５３のマスク領域が小さくなる）。一方、ユーザが操作子４５１ａを映像例における下方向に移動させると、上側マスク４５２の弧部４５２ａが下側に下がる（つまり上側マスク４５２のマスク領域が大きくなる）とともに下側マスク４５３の弧部４５３ａが上側に上がる（つまり下側マスク４５３のマスク領域が大きくなる）。
【０１０８】
なお、これらの処理は、上述した後退時処理におけるＳ１３５，Ｓ１４０によって実現される。
このようにスライダ４５１を映像に重畳表示させることにより、マスク領域の大きさの変更をユーザは操作子４５１ａを操作することによって行うことができ、変更可能な大きさの具合を把握した状態でマスク領域の大きさの変更を行うことができる。
【０１０９】
（１１）各種操作アイコン等を表示させた例
図１７に示す映像例は、図１１に示した映像例をベースに、操作アイコン及び報知情報を示すアイコンをマスク上に重畳表示させた映像例である。具体的には、操作アイコンとして、画角切替アイコン４６１、マスク種別切替アイコン４６２、マスクサイズ切替アイコン４６３、及び、歪補正選択アイコン４６４がマスクに重畳表示される。また、報知情報を示すアイコンとして、時刻情報アイコン４６５、及び、警告アイコン４６６とがマスクに重畳表示される。
【０１１０】
なお、画角切替アイコン４６１は、このアイコンのいずれか一方が選択されることにより、表示装置２３に表示される映像自体の画角が切り替わる。
マスク種別切替アイコン４６２は、このアイコンのいずれか一方が選択されることにより、マスクの種別が切り替わる。
【０１１１】
マスクサイズ切替アイコン４６３は、このアイコンのいずれか一方が選択されることにより、マスク領域の大きさが切り替わる。この切り替えは、上述したスライダによる操作と同様の表示結果をもたらす。
【０１１２】
歪補正選択アイコン４６４は、このアイコンのいずれか一つが選択されることにより、表示装置２３に表示される映像の歪補正の強度が変更される。
時刻情報アイコン４６５は、時刻を表すアイコンである。
【０１１３】
警告アイコン４６６は、時刻以外の報知情報や、障害物情報を報知するためのアイコンであり、図１７では、障害物の存在と障害物までの距離を示している。
このようにマスク上にアイコンを重畳表示することにより、カメラ２１によって撮影された映像の部分がアイコンによって妨げられることがなく、ユーザは操作アイコンを見ながら操作等することができる上、様々な情報を得ることができる。
【０１１４】
（１２）表示切替処理において切り替えられて表示される映像例
図２０に示す映像例は、表示切替処理において切り替えられる広画角映像と、狭画角映像の例である。図２０（ａ）は、広画角映像の例であり、図１５と同様である。なお、枠５５１（実際の映像では非表示）によって示される領域が、次に説明する狭画角映像の領域である。また、枠５５１によって示される狭画角映像に対応する領域と、マスク５５２とが、重複していないことが読み取れる。一方、図２０（ｂ）は、狭画角映像の例であり、図２０（ａ）における枠５５１によって示される領域が切り出されてズームされた映像である。なお、狭画角映像では、マスクの合成はなされない。
【０１１５】
このように、狭画角映像に切り替わった場合には、マスクは合成されないため、狭画角映像から得られる情報量を増加させることができる。また、狭画角映像によって示される領域は、広画角映像において、マスクされることなく表示されるため、画角切替時の映像の視認性もよい。
【０１１６】
［他の実施形態］
（１）上側マスクのみ、又は、下側マスクのみといった方法で映像にマスクをかけるようになっていてもよい。つまり、このようなマスクについてのマスク情報をマスク情報記憶部１３が記憶しており、これらをユーザが選択可能になっているとよい。
【０１１７】
また、これとは異なり、マスク情報によって構成される上側マスク及び下側マスクの一方を、ユーザの操作に基づいて任意に消すこと（マスクをかけないこと）ができるようになっていてもよい。
【０１１８】
このようになっていれば、よりユーザの好みにマッチした映像を表示装置２２に表示させることができる。
（２）上述した実施形態の映像処理装置１１が行うマスク処理は、マスク対象部分を所定の色で塗りつぶすか否かという手法のものであったが、塗りつぶしの代わりにマスク対象部分の映像の明度を変更したり（例えば、明度を落としたり）、マスク対象部分の映像の彩度を変更したり（例えば、彩度を落としたり）、マスク対象部分の映像の色相を変更したり（例えば、寒色系やモノトーン系に変更したり）、マスク対象部分の映像をモザイク化したりしてもよい。もちろん、このようなマスク処理が行えるようにマスク情報記憶部１３に適切なマスク情報を記憶させておく必要があることは言うまでもない。
【０１１９】
このようなマスク処理方法であっても、ユーザは、映像部分とマスク部分とを容易に区別することができる。そして、これらの方法を選択できるようになっていれば、ユーザの好みにもマッチしやすくなり、映像処理装置１１の利用頻度も向上する。
【０１２０】
（３）上記実施形態の映像処理装置１１は、マスクの形式、マスクの大きさ毎にマスク情報をマスク情報記憶部１３が記憶し、映像処理部１８がマスク情報を利用するようになっていたが、マスク情報記憶部１３には、マスクの形式（タイプ）毎にのみマスク情報を記憶させておき、映像処理部１８がマスク情報に基づいて様々な大きさのマスクを計算してマスクを構成することにより利用するようになっていてもよい。
【０１２１】
このようになっていれば、マスク情報記憶部１３が記憶するデータ量を減らすことができる。
（４）上記実施形態では、映像処理装置１１においてマスク処理を行うようになっていたが、映像処理装置１１ではマスク処理を行わず、カメラ自体にマスクが設けられていてもよい。ここで、マスクが設けられたカメラレンズについて、図１９の模式図を用いて説明する。
【０１２２】
図１９に示すように、真円の形状を有するカメラレンズ５０１のレンズ面に上側マスク部材５０１ａと下側マスク部材５０１ｂとが設けられている。これらのマスクは、樹脂、金属板等からなり、カメラレンズ５０１のレンズ面に直接固着されていてもよいし、カメラレンズ５０１のレンズ面に覆い被さる形で脱着可能に設けられていてもよい。
【０１２３】
上側マスク部材５０１ａは、映像が表示装置に表示された状態におけるその映像の上部をマスクするようにカメラレンズ５０１のレンズ面に設けられている。表示装置に表示される具体的な映像例は図１５と同様である。また、下側マスク部材５０１ｂは、映像が表示装置に表示された状態におけるその映像の下部をマスクするようにカメラレンズ５０１のレンズ面に設けられている。表示装置に表示される具体的な映像例は図１５と同様である。
【０１２４】
このようなマスク部材を有するカメラレンズであれば、歪みの発生しやすい周辺部の映像がマスクされるため、運転者の違和感を軽減することができる。その上で、映像の左右方向における中央領域の情報の多い映像を出力することができるため、左右方向における中央領域の情報が運転者にとって特に重要となる映像（例えば、後退時に用いるための後方映像）を処理させる目的に適している。
【０１２５】
［特許請求の範囲との対応］
上記実施形態の説明で用いた用語と、特許請求の範囲に記載した用語との対応を示す。
映像入力インタフェース１２が映像入力手段に相当し、マスク情報記憶部１３がマスク情報記憶手段に相当し、映像処理部１８がマスク処理実行手段及び人物検知手段に相当し、映像出力インタフェース１５が出力手段に相当し、操作部１６が操作受付手段に相当し、情報入力インタフェース１７が報知情報入力手段及び障害物情報入力手段に相当する。
【図面の簡単な説明】
【０１２６】
【図１】映像処理装置及びその周辺装置類を説明するためのブロック図である。
【図２】後退時処理を説明するためのフローチャートである。
【図３】報知情報重畳処理、操作アイコン重畳処理、及び、障害物報知処理を説明するためのフローチャートである。
【図４】人物報知処理を説明するためのフローチャートである。
【図５】表示切替処理を説明するためのフローチャートである。
【図６】マスク情報を説明するための説明図である。
【図７】マスクなしの映像例である。
【図８】マスクの基本形１である。
【図９】映像例に対して画角表示が追加された例１である。
【図１０】映像例に対して画角表示が追加された例２である。
【図１１】映像例に対して画角表示が追加された例３である。
【図１２】映像例に対して画角表示が追加された例４である。
【図１３】映像例に対して画角表示が追加された例５である。
【図１４】車両モデルが重畳表示された例である。
【図１５】マスクの基本形２である。
【図１６】映像例に対してスライダを表示させた例である。
【図１７】映像例に対して各種操作アイコン等を表示させた例である。
【図１８】映像の歪み曲線を説明するために説明図である。
【図１９】マスクをしたレンズの一例である。
【図２０】表示切替処理において切り替えられて表示される映像例である。
【符号の説明】
【０１２７】
１１…映像処理装置、１２…映像入力インタフェース、１３…マスク情報記憶部、１４…前回選択マスク記憶部、１５…映像出力インタフェース、１６…操作部、１７…情報入力インタフェース、１８…映像処理部、２１…カメラ、２２…表示装置、２３…シフト位置センサ、２４…障害物検知装置、２５…ＥＣＵ群、５０１…カメラレンズ、５０１ａ…上側マスク部材、５０１ｂ…下側マスク部材。
【図１】
0004595976.tif 000002
【図２】
0004595976.tif 000003
【図３】
0004595976.tif 000004
【図４】
0004595976.tif 000005
【図５】
0004595976.tif 000006
【図６】
0004595976.tif 000007
【図７】
0004595976.tif 000008
【図９】
0004595976.tif 000009
【図１０】
0004595976.tif 000010
【図１１】
0004595976.tif 000011
【図１２】
0004595976.tif 000012
【図１３】
0004595976.tif 000013
【図１８】
0004595976.tif 000014
【図１９】
0004595976.tif 000015
【図８】
0004595976.tif 000016
【図１４】
0004595976.tif 000017
【図１５】
0004595976.tif 000018
【図１６】
0004595976.tif 000019
【図１７】
0004595976.tif 000020
【図２０】
0004595976.tif 000021